【手続補正書】
【提出日】平成27年2月26日(2015.2.26)
【手続補正１】
【補正対象書類名】特許請求の範囲
【補正対象項目名】全文
【補正方法】変更
【補正の内容】
【特許請求の範囲】
【請求項１】
カメラ本体に対してカメラレンズモジュールを電気的に接続するために前記カメラ本体に搭載されて用いられる電気コネクタであって、前記電気コネクタは、前記カメラレンズモジュールの光軸と実質的に平行な第１方向と、前記第１方向に対して直交する方向のうち特定の方向としての第２方向と、前記第１方向及び前記第２方向に対して直交する第３方向と、を有し、
コンタクト収容室が前記第２方向に沿って細長く形成されたハウジングと、
前記ハウジングの前記コンタクト収容室に収容されるコンタクトと、
を備え、
前記ハウジングは、前記コンタクト収容室の前記カメラレンズモジュール側を区画すると共に、コンタクト挿入孔が形成されたモジュール側隔壁を有し、
前記コンタクトは、前記コンタクト挿入孔に挿入され前記モジュール側隔壁から前記カメラレンズモジュール側に突出して前記カメラレンズモジュールに対する電気的な接点として機能する接点突起部と、前記ハウジングに固定される固定部と、前記接点突起部と前記固定部を弾性的に連結する連結部と、を有し、
前記連結部は、前記固定部から離れるように前記第２方向に延びる連結本体部と、前記連結本体部を挟んで前記固定部と反対側に配置され、折り返して形成される折り返し部と、を含み、
前記固定部は、前記第２方向において、前記接点突起部を挟んで前記折り返し部と反対側に配置されている、
電気コネクタ。
【請求項２】
請求項１に記載の電気コネクタであって、
前記固定部は、前記ハウジングに対して圧入されることで前記ハウジングに対して固定される、
電気コネクタ。
【請求項３】
請求項２に記載の電気コネクタであって、
前記固定部の前記ハウジングに対する圧入方向は、前記接点突起部の前記コンタクト挿入孔への挿入方向と略同じに設定されている、
電気コネクタ。
【請求項４】
請求項３に記載の電気コネクタであって、
前記連結部は、前記連結本体部の前記固定部側の端部を、前記固定部の前記カメラレンズモジュール側の端部に連結するための連結基端部を更に含む、
電気コネクタ。
【請求項５】
請求項４に記載の電気コネクタであって、
前記連結基端部は、
前記固定部に接続し、折り返されて形成された湾曲部と、
前記連結本体部に接続し、前記圧入方向に延びる延部と、
によって構成されている、
電気コネクタ。
【請求項６】
請求項１〜５の何れかに記載の電気コネクタであって、
前記接点突起部は、
前記カメラレンズモジュール側へ膨らみ出るように形成される接点突起部本体と、
前記接点突起部本体の周縁に沿って切れ目なく形成されるフランジ部と、
を含んで構成されている、
電気コネクタ。
【請求項７】
請求項６に記載の電気コネクタであって、
前記連結部は、前記連結本体部から前記接点突起部に向かって突出し、前記接点突起部の前記フランジ部に対して接触可能な弾性変形規制部を更に含む、
電気コネクタ。
【請求項８】
請求項６又は７に記載の電気コネクタであって、
前記ハウジングは、前記コンタクト収容室の前記第３方向側を区画する一対の側方隔壁を有しており、
前記フランジ部は、前記フランジ部が前記モジュール側隔壁に対して前記連結部のバネ復元力により接触している状態で、前記第３方向において、前記接点突起部の前記接点突起部本体が前記コンタクト挿入孔の内周面に接触するよりも先に前記フランジ部が前記一対の側方隔壁のうち何れかに接触するように形成されており、もって、前記接点突起部の前記接点突起部本体は前記コンタクト挿入孔の前記内周面に接触不能である、
電気コネクタ。
【請求項９】
請求項１〜８の何れかに記載の電気コネクタであって、
前記カメラレンズモジュールを前記カメラ本体に取り付けた際に、前記連結部が接触可能な電極パッドが形成された回路基板を更に備える、
電気コネクタ。
【請求項１０】
第１の部品に対して第２の部品を電気的に接続するために前記第１の部品に搭載されて用いられる電気コネクタであって、
コンタクト収容室が形成されたハウジングと、
前記ハウジングの前記コンタクト収容室に収容されるコンタクトと、
を備え、
前記ハウジングは、前記コンタクト収容室の前記第２の部品側を区画すると共に、コンタクト挿入孔が形成された第２の部品側隔壁を有し、
前記コンタクトは、前記コンタクト挿入孔に挿入され前記第２の部品側隔壁から前記第２の部品側に突出して前記第２の部品に対する電気的な接点として機能する接点突起部と、前記ハウジングに固定される固定部と、前記接点突起部と前記固定部を弾性的に連結する連結部と、を有し、
前記連結部は、
前記固定部から離れるように、前記コンタクト挿入孔の開口方向としての第１方向に対して実質的に直交する第２方向に延びる、連結本体部と、
前記連結本体部を挟んで前記固定部と反対側に配置され、折り返して形成される折り返し部と、
を含み、
前記固定部は、前記第２方向において、前記接点突起部を挟んで前記折り返し部と反対側に配置されている、
電気コネクタ。
【請求項１１】
請求項１０に記載の電気コネクタであって、
前記固定部は、前記ハウジングに対して圧入されることで前記ハウジングに対して固定される、
電気コネクタ。
【請求項１２】
請求項１１に記載の電気コネクタであって、
前記固定部の前記ハウジングに対する圧入方向は、前記接点突起部の前記コンタクト挿入孔への挿入方向と略同じに設定されている、
電気コネクタ。
【請求項１３】
請求項１２に記載の電気コネクタであって、
前記連結部は、前記連結本体部の前記固定部側の端部を、前記固定部の前記第２の部品側の端部に連結するための連結基端部を更に含む、
電気コネクタ。
【請求項１４】
請求項１３に記載の電気コネクタであって、
前記連結基端部は、
前記固定部に接続し、折り返されて形成された湾曲部と、
前記連結本体部に接続し、前記圧入方向に延びる延部と、
によって構成されている、
電気コネクタ。
【請求項１５】
請求項１０〜１４の何れかに記載の電気コネクタであって、
前記接点突起部は、
前記第２の部品側へ膨らみ出るように形成される接点突起部本体と、
前記接点突起部本体の周縁に沿って切れ目なく形成されるフランジ部と、
を含んで構成されている、
電気コネクタ。
【請求項１６】
請求項１５に記載の電気コネクタであって、
前記連結部は、前記連結本体部から前記接点突起部に向かって突出し、前記接点突起部の前記フランジ部に対して接触可能な弾性変形規制部を更に含む、
電気コネクタ。
【請求項１７】
請求項１５又は１６に記載の電気コネクタであって、
前記第１方向及び前記第２方向に対して直交する方向を第３方向とすると、
前記ハウジングは、前記コンタクト収容室の前記第３方向側を区画する一対の側方隔壁を有しており、
前記フランジ部は、前記フランジ部が前記第２の部品側隔壁に対して前記連結部のバネ復元力により接触している状態で、前記第３方向において、前記接点突起部の前記接点突起部本体が前記コンタクト挿入孔の内周面に接触するよりも先に前記フランジ部が前記一対の側方隔壁のうち何れかに接触するように形成されており、もって、前記接点突起部の前記接点突起部本体は前記コンタクト挿入孔の前記内周面に接触不能である、
電気コネクタ。
【請求項１８】
請求項１０〜１７の何れかに記載の電気コネクタであって、
前記第２の部品を前記第１の部品に取り付けた際に、前記連結部が接触可能な電極パッドが形成された回路基板を更に備える、
電気コネクタ。
【手続補正２】
【補正対象書類名】明細書
【補正対象項目名】０００６
【補正方法】変更
【補正の内容】
【０００６】
本願発明の第1の観点によれば、カメラ本体に対してカメラレンズモジュールを電気的に接続するために前記カメラ本体に搭載されて用いられる電気コネクタであって、前記電気コネクタは、前記カメラレンズモジュールの光軸と実質的に平行な第１方向と、前記第１方向に対して直交する方向のうち特定の方向としての第２方向と、前記第１方向及び前記第２方向に対して直交する第３方向と、を有し、コンタクト収容室が前記第２方向に沿って細長く形成されたハウジングと、前記ハウジングの前記コンタクト収容室に収容されるコンタクトと、を備え、前記ハウジングは、前記コンタクト収容室の前記カメラレンズモジュール側を区画すると共に、コンタクト挿入孔が形成されたモジュール側隔壁を有し、前記コンタクトは、前記コンタクト挿入孔に挿入され前記モジュール側隔壁から前記カメラレンズモジュール側に突出して前記カメラレンズモジュールに対する電気的な接点として機能する接点突起部と、前記ハウジングに固定される固定部と、前記接点突起部と前記固定部を弾性的に連結する連結部と、を有し、前記連結部は、前記固定部から離れるように前記第２方向に延びる連結本体部と、前記連結本体部を挟んで前記固定部と反対側に配置され、折り返して形成される折り返し部と、を含み、前記固定部は、前記第２方向において、前記接点突起部を挟んで前記折り返し部と反対側に配置されている、電気コネクタが提供される。
前記固定部は、前記ハウジングに対して圧入されることで前記ハウジングに対して固定される。
前記固定部の前記ハウジングに対する圧入方向は、前記接点突起部の前記コンタクト挿入孔への挿入方向と略同じに設定されている。
前記連結部は、前記連結本体部の前記固定部側の端部を、前記固定部の前記カメラレンズモジュール側の端部に連結するための連結基端部を更に含む。
前記連結基端部は、前記固定部に接続し、折り返されて形成された湾曲部と、前記連結本体部に接続し、前記圧入方向に延びる延部と、によって構成されている。
前記接点突起部は、前記カメラレンズモジュール側へ膨らみ出るように形成される接点突起部本体と、前記接点突起部本体の周縁に沿って切れ目なく形成されるフランジ部と、を含んで構成されている。
前記連結部は、前記連結本体部から前記接点突起部に向かって突出し、前記接点突起部の前記フランジ部に対して接触可能な弾性変形規制部を更に含む。
前記ハウジングは、前記コンタクト収容室の前記第３方向側を区画する一対の側方隔壁を有しており、前記フランジ部は、前記フランジ部が前記モジュール側隔壁に対して前記連結部のバネ復元力により接触している状態で、前記第３方向において、前記接点突起部の前記接点突起部本体が前記コンタクト挿入孔の内周面に接触するよりも先に前記フランジ部が前記一対の側方隔壁のうち何れかに接触するように形成されており、もって、前記接点突起部の前記接点突起部本体は前記コンタクト挿入孔の前記内周面に接触不能である。
前記カメラレンズモジュールを前記カメラ本体に取り付けた際に、前記連結部が接触可能な電極パッドが形成された回路基板を更に備える。
本願発明の第2の観点によれば、第１の部品に対して第２の部品を電気的に接続するために前記第１の部品に搭載されて用いられる電気コネクタであって、コンタクト収容室が形成されたハウジングと、前記ハウジングの前記コンタクト収容室に収容されるコンタクトと、を備え、前記ハウジングは、前記コンタクト収容室の前記第２の部品側を区画すると共に、コンタクト挿入孔が形成された第２の部品側隔壁を有し、前記コンタクトは、前記コンタクト挿入孔に挿入され前記第２の部品側隔壁から前記第２の部品側に突出して前記第２の部品に対する電気的な接点として機能する接点突起部と、前記ハウジングに固定される固定部と、前記接点突起部と前記固定部を弾性的に連結する連結部と、を有し、前記連結部は、前記固定部から離れるように、前記コンタクト挿入孔の開口方向としての第１方向に対して実質的に直交する前記第２方向に延びる、連結本体部と、前記連結本体部を挟んで前記固定部と反対側に配置され、折り返して形成される折り返し部と、を含み、前記固定部は、前記第２方向において、前記接点突起部を挟んで前記折り返し部と反対側に配置されている、電気コネクタが提供される。
前記固定部は、前記ハウジングに対して圧入されることで前記ハウジングに対して固定される。
前記固定部の前記ハウジングに対する圧入方向は、前記接点突起部の前記コンタクト挿入孔への挿入方向と略同じに設定されている。
前記連結部は、前記連結本体部の前記固定部側の端部を、前記固定部の前記第２の部品側の端部に連結するための連結基端部を更に含む。
前記連結基端部は、前記固定部に接続し、折り返されて形成された湾曲部と、前記連結本体部に接続し、前記圧入方向に延びる延部と、によって構成されている。
前記接点突起部は、前記第２の部品側へ膨らみ出るように形成される接点突起部本体と、前記接点突起部本体の周縁に沿って切れ目なく形成されるフランジ部と、を含んで構成されている。
前記連結部は、前記連結本体部から前記接点突起部に向かって突出し、前記接点突起部の前記フランジ部に対して接触可能な弾性変形規制部を更に含む。
前記第１方向及び前記第２方向に対して直交する方向を第３方向とすると、前記ハウジングは、前記コンタクト収容室の前記第３方向側を区画する一対の側方隔壁を有しており、前記フランジ部は、前記フランジ部が前記第２の部品側隔壁に対して前記連結部のバネ復元力により接触している状態で、前記第３方向において、前記接点突起部の前記接点突起部本体が前記コンタクト挿入孔の内周面に接触するよりも先に前記フランジ部が前記一対の側方隔壁のうち何れかに接触するように形成されており、もって、前記接点突起部の前記接点突起部本体は前記コンタクト挿入孔の前記内周面に接触不能である。
前記第２の部品を前記第１の部品に取り付けた際に、前記連結部が接触可能な電極パッドが形成された回路基板を更に備える。